(57)【要約】【課題】コンクリート基礎を強固に補強できると共に、補強金具施工後に作業用穴部を利用したい際には、この作業用穴部を塞ぐように配される架設体を水平旋回させて作業用穴部を開放することも可能な基礎補強金具を提供すること。【解決手段】作業用穴部２の左右のコンクリート基礎１表面に止着固定する左右一組の止着体３と、この作業用穴部２の左右のコンクリート基礎１表面に止着固定した各止着体３間に架設状態にして固定する架設体４とから成り、この架設体４の一側端部は一方の前記止着体３に対して水平旋回自在に軸支固定し得るように構成すると共に、架設体４の他側端部は他方の止着体３に対して着脱自在に固定し得るように構成する。【選択図】図２
2009287347.tif 000002
【特許請求の範囲】
【請求項１】
建築物の床下工事を行うためにコンクリート基礎に設けられた作業用穴部を補強するための基礎補強金具であって、前記作業用穴部の左右の前記コンクリート基礎表面に止着固定する左右一組の止着体と、この作業用穴部の左右のコンクリート基礎表面に止着固定した各止着体間に架設状態にして固定する架設体とから成り、この架設体の一側端部は一方の前記止着体に対して水平旋回自在に軸支固定し得るように構成すると共に、架設体の他側端部は他方の止着体に対して着脱自在に固定し得るように構成して、この架設体の他側端部を他方の止着体に対して固定解除した際に、この架設体の一側端部と一方の止着体との軸支固定部を支点に架設体を水平旋回させて前記作業用穴部を開放し得るように構成したことを特徴とする基礎補強金具。
【請求項２】
少なくとも前記架設体と、この架設体の一側端部を固定する一方の前記止着体とは夫々断面コ字板状に構成して、この断面コ字板状の一方の止着体に断面コ字板状の架設体の一側端部を重合状態で水平旋回自在に軸支固定したことを特徴とする請求項１記載の基礎補強金具。
【請求項３】
前記断面コ字板状の一方の止着体は、前記コンクリート基礎表面に当接固定する固定板部の上下部に夫々略水平方向に向けて支持板部を突設した断面コ字板状に構成し、前記断面コ字板状の架設体は、中間板部の上下部に夫々前記支持板部に重合する重合板部を突設した断面コ字板状に構成し、前記止着体の支持板部に固定具を挿通する固定孔を設けると共に、前記架設体の一側端部の重合板部に前記固定具を挿通する挿入孔を設けて、支持板部と重合板部とを重合して連通させたこの固定孔と挿入孔とに固定具を挿通固定することで一方の止着体に架設体の一側端部を固定すると共に、この固定具を支点にして一方の止着体に対し架設体を水平旋回自在に軸支する構成としたことを特徴とする請求項２記載の基礎補強金具。
【請求項４】
前記各止着体と前記架設体とは夫々断面コ字板状に構成して、この断面コ字板状の各止着体に断面コ字板状の架設体の端部を重合状態で着脱自在に固定し得るように構成したことを特徴とする請求項１〜３のいずれか１項に記載の基礎補強金具。
【請求項５】
前記架設体の上下幅寸法を、前記各止着体の上下幅寸法より小さい若しくは大きい幅寸法に設定構成して、架設体を各止着体に嵌入状態若しくは被嵌状態で重合し得るように構成したことを特徴とする請求項１〜４のいずれか１項に記載の基礎補強金具。
【発明の詳細な説明】
【技術分野】
【０００１】
本発明は、床下工事用に作業用穴部が設けられたコンクリート基礎を補強するための基礎補強金具に関するものである。
【背景技術】
【０００２】
木造建築物の床下工事、例えば白蟻駆除工事やガスや水道の配管工事、電気配線工事などにおいては、コンクリート基礎で囲まれた箇所を作業者が移動したり、これらの箇所を通して配管、配線するなどの各種工事を行うが、作業者の移動や配管、配線の際にはコンクリート基礎が邪魔になるので、コンクリート基礎の一部をドリルなどを利用して破損して人が出入りできる程度の大きさや、配管や配線できる程度の貫通穴部を形成する。
【０００３】
しかし、このような貫通穴部をコンクリート基礎に形成した場合、この穴部箇所においては強度が低下するため、床下工事の途中や終了後にこの穴部箇所の強度を復帰させる必要があるが、床下の狭い箇所での復帰工事となるので、破損箇所にコンクリートを充填するなどのコンクリート工事を行いにくいという問題がある。
【０００４】
また、最近は、上記したような床下工事が後々行われる場合を考慮して、新築時からコンクリート基礎に貫通穴部を形成しておく（貫通穴部を有する形状にコンクリート基礎を成形する）建築物もあるが、このような建築物にあってもコンクリート基礎の穴部個所の強度低下が懸念されるために、床下工事が行われるまでの期間や、床下工事の途中や終了後に穴部個所を補強しておきたい。
【０００５】
このような問題や要望に応える一手段として、従来、特開２００４−２９３２８７号（特許文献１）が提案されている。
【０００６】
この特許文献１を簡単に説明すると、コンクリート基礎に形成した通路（貫通穴部）の左右位置に当接する第一の当て部を両端部に備え、この両端部の第一の当て部間に、コンクリート基礎上に載置された土台の側面に当接する第二の当て部を備えた構成の補強金具を使用し、前記通路の左右の前記コンクリート基礎箇所にそれぞれ第一の当て部を止着固定すると共に、この左右の第一の当て部間の第二の当て部を前記土台の側面に連結固定することで、この補強金具を介してコンクリート基礎と土台とを一体化し、通路部分（コンクリート基礎）の補強を図るというものである。
【０００７】
【特許文献１】特開２００４−２９３２８７号公報
【発明の開示】
【発明が解決しようとする課題】
【０００８】
本発明は、前記特許文献１とは異なり、コンクリート基礎上の土台まで固定せずとも簡単に施工できてコンクリート基礎を強固に補強できると共に、補強金具施工後に作業用穴部を利用したい際には、この作業用穴部を塞ぐように配される架設体を簡単に開放回動することが可能となる画期的な基礎補強金具を提供するものである。
【課題を解決するための手段】
【０００９】
添付図面を参照して本発明の要旨を説明する。
【００１０】
建築物の床下工事を行うためにコンクリート基礎１に設けられた作業用穴部２を補強するための基礎補強金具であって、前記作業用穴部２の左右の前記コンクリート基礎１表面に止着固定する左右一組の止着体３と、この作業用穴部２の左右のコンクリート基礎１表面に止着固定した各止着体３間に架設状態にして固定する架設体４とから成り、この架設体４の一側端部は一方の前記止着体３に対して水平旋回自在に軸支固定し得るように構成すると共に、架設体４の他側端部は他方の止着体３に対して着脱自在に固定し得るように構成して、この架設体４の他側端部を他方の止着体３に対して固定解除した際に、この架設体４の一側端部と一方の止着体３との軸支固定部５を支点に架設体４を水平旋回させて前記作業用穴部２を開放し得るように構成したことを特徴とする基礎補強金具に係るものである。
【００１１】
また、少なくとも前記架設体４と、この架設体４の一側端部を固定する一方の前記止着体３とは夫々断面コ字板状に構成して、この断面コ字板状の一方の止着体３に断面コ字板状の架設体４の一側端部を重合状態で水平旋回自在に軸支固定したことを特徴とする請求項１記載の基礎補強金具に係るものである。
【００１２】
また、前記断面コ字板状の一方の止着体３は、前記コンクリート基礎１表面に当接固定する固定板部３Ａの上下部に夫々略水平方向に向けて支持板部３Ｂを突設した断面コ字板状に構成し、前記断面コ字板状の架設体４は、中間板部４Ａの上下部に夫々前記支持板部３Ｂに重合する重合板部４Ｂを突設した断面コ字板状に構成し、前記止着体３の支持板部３Ｂに固定具６を挿通する固定孔７を設けると共に、前記架設体４の一側端部の重合板部４Ｂに前記固定具６を挿通する挿入孔８を設けて、支持板部３Ｂと重合板部４Ｂとを重合して連通させたこの固定孔７と挿入孔８とに固定具６を挿通固定することで一方の止着体３に架設体４の一側端部を固定すると共に、この固定具６を支点にして一方の止着体３に対し架設体４を水平旋回自在に軸支する構成としたことを特徴とする請求項２記載の基礎補強金具に係るものである。
【００１３】
また、前記各止着体３と前記架設体４とは夫々断面コ字板状に構成して、この断面コ字板状の各止着体３に断面コ字板状の架設体４の端部を重合状態で着脱自在に固定し得るように構成したことを特徴とする請求項１〜３のいずれか１項に記載の基礎補強金具に係るものである。
【００１４】
また、前記架設体４の上下幅寸法を、前記各止着体３の上下幅寸法より小さい若しくは大きい幅寸法に設定構成して、架設体４を各止着体３に嵌入状態若しくは被嵌状態で重合し得るように構成したことを特徴とする請求項１〜４のいずれか１項に記載の基礎補強金具に係るものである。
【発明の効果】
【００１５】
本発明は上述のように構成したから、コンクリート基礎に設けられた床下工事用の作業用穴部の左右の箇所に止着体を止着固定すると共にこの左右の止着体間に架設体を固定するだけで簡単に施工できると共に、作業用穴部を左右方向に横断して固定される本補強金具が作業用穴部を補強するので、コンクリート基礎の作業用穴部における強度の低下を良好に防ぐことができ、しかも、作業用穴部の左右のコンクリート基礎表面に固定する止着体とこの左右の止着体間に架設する架設体とから成る構成としたため、左右幅の異なる様々な大きさの作業用穴部に対しても、この左右幅に応じて止着体への架設体の固定位置を変更したり、架設体の長さを変更することだけで容易に対応可能となり、その上、作業用穴部を遮るようにして固定されるこの架設体は、その他側端部を他方の止着体に対して固定解除することで、一側端部の軸支固定部を支点に水平旋回させて作業用穴部を開放することができるので、必要に応じて再度作業用穴部を通路や配管，配線路として使用することも可能であるなど、極めて実用性に秀れた画期的な基礎補強金具となる。
【００１６】
また、請求項２，３記載の発明においては、一方の止着体と架設体の一側端部とが軸支固定される構成でありながら、この一方の止着体と架設体とを断面コ字板状に構成したことで非常に高い強度を発揮して、コンクリート基礎の作業用穴部における強度の低下を良好に防ぐことができると共に、この一方の止着体と架設体とは、例えば金属性のチャンネル材などを採用して容易に構成可能であるので、量産性に秀れ簡易に設計実現可能となり、また、特に請求項３記載の発明においては、架設体の一側端部を一方の止着体に対して水平旋回自在に軸支固定する構造を簡易に設計実現可能となる。
【００１７】
また、請求項４記載の発明においては、断面コ字板状で非常に強度が高い止着体と架設体とから成る本補強金具によってコンクリート基礎の作業用穴部における強度の低下を極めて良好に防ぐことができ、しかも、この発明の止着体と架設体とは、例えば金属性のチャンネル材などを採用して容易に構成可能であるので、量産性に秀れ簡易に設計実現可能であるなど、極めて実用性に秀れた画期的な基礎補強金具となる。
【００１８】
また、請求項５記載の発明においては、止着体に架設体を固定する際に、止着体に対して架設体を嵌入若しくは被嵌して容易に仮止め状態とすることができるので、この仮止め状態で簡単に架設体を止着体に固定することができる一層施工作業性に秀れ、実用性に秀れた構成の基礎補強金具となる。
【発明を実施するための最良の形態】
【００１９】
好適と考える本発明の実施形態（発明をどのように実施するか）を、図面に基づいて本発明の作用を示して簡単に説明する。
【００２０】
例えば、床下工事の途中や終了後に、コンクリート基礎１の一部を破損して形成した作業用穴部２の左右の前記コンクリート基礎１表面に、左右一組の止着体３を夫々止着固定し、この左右の止着体３間に架設状態にして架設体４を固定する。
【００２１】
すると、作業用穴部２を左右方向に横断して本補強金具が固定されることで本補強金具が作業用穴部２を補強するように作用することになり、これによりこの作業用穴部２を形成したことによるコンクリート基礎１の強度低下を防ぐことができる。
【００２２】
また、新築時からコンクリート基礎１に作業用穴部２が形成されている建築物に対しても、同様にして作業用穴部２の左右の前記コンクリート基礎１表面に左右一組の止着体３を夫々止着固定し、この左右の止着体３間に架設状態にして架設体４を固定することで、この作業用穴部２箇所を補強することができる。
【００２３】
従って、単にコンクリート基礎１に設けられた床下工事用の作業用穴部２の左右の箇所に止着体３を止着固定すると共にこの左右の止着体３間に架設体４を固定するだけの簡易な作業で施工が完了し、作業用穴部２箇所に対して極めて良好な補強作用が付与されることになる。
【００２４】
また、本発明では、一本の補強桟を作業用穴部２に架設状態に止着固定するような構成とせず、作業用穴部２の左右のコンクリート基礎１表面に固定する止着体３とこの左右の止着体３間に架設する架設体４とから成る構成としたため、例えば、止着体３と架設体４とを別部品で構成することも可能で、このように構成することにより、止着体３に対する架設体４の固定位置を変更したり、架設体４の長さを変更したりすることができて、現場や利用用途などによって大きさが異なる作業用穴部２の左右幅に容易に対応することができる。
【００２５】
また、本補強金具の施工完了後は、架設体４が作業用穴部２を遮るように固定されているが、架設体４の他側端部を他方の止着体３に対して固定解除すると、架設体４の一側端部の軸支固定部５を支点にしてこの架設体４を水平旋回させて作業用穴部２を開放することができるので、必要に応じて架設体４を水平旋回させて、作業用穴部２を再び通路や配管，配線路などとして使用することができる。
【実施例】
【００２６】
本発明の具体的な実施例について図面に基づいて説明する。
【００２７】
本実施例は、図１，図２に示すような建築物のコンクリート基礎１に貫通形成される床下工事用の作業用穴部２の補強を行う基礎補強金具に関するもので、前記作業用穴部２の左右の前記コンクリート基礎１表面に止着固定する左右一組の止着体３と、この作業用穴部２の左右のコンクリート基礎１表面に止着固定した各止着体３間に架設状態にして固定する架設体４とから成り、前記各止着体３と前記架設体４とは夫々断面コ字板状に構成して、この断面コ字板状の各止着体３に断面コ字板状の架設体４の端部を重合状態で着脱自在に固定し得るように構成すると共に、少なくともこの架設体４の一側端部は一方の前記止着体３に対して水平旋回自在に軸支固定して、この架設体４の他側端部を他方の止着体３に対して固定解除した際に、一側端部の軸支固定部５を支点に架設体４を水平旋回して前記作業用穴部２を開放し得るように構成している。尚、図中符号12は土台、13はコンクリート基礎１と土台の間に介存させる基礎パッキンである。
【００２８】
具体的には、本実施例の止着体３は、前記コンクリート基礎１表面に当接（面接）固定する固定板部３Ａの上下部に夫々略水平方向に向けて支持板部３Ｂを突設した断面コ字板状に構成して、この上下の支持板部３Ｂ間に前記架設体４を挟み込むように嵌入してこの架設体４を止着体３に固定し得るように構成している。
【００２９】
更に詳しくは、金属製の方形板の両側縁を夫々略直角に折曲形成して断面コ字板状の止着体３を構成し、この止着体３の中間の板部を前記固定板部３Ａとし、この固定板部３Ａに対して直角に配設する両側の板部を前記支持板部３Ｂとしている。
【００３０】
また、この止着体３の固定板部３Ａには、図３に示すようにその長さ方向に間隔を置いた二箇所にこの固定板部３Ａをコンクリート基礎１表面に止着固定するための止着具９（本実施例では、図４に示すように先端部が六角形（ボルト頭部形）をしたコンクリート用の打ち込み式アンカー９を採用した場合を示している。）を挿通する止着孔10を設けている。
【００３１】
即ち、例えば、二箇所の止着孔10に位置を合わせて作業用穴部２の左右のコンクリート基礎１表面の二箇所にドリルなどで穴をあけ、この各穴に打ち込み式アンカー９を挿通固定することで止着体３をコンクリート基礎１に固定する構成としている。
【００３２】
本実施例の架設体４は、帯板の両側縁部を夫々略直角に折曲形成すると共にこの折曲両先端縁を更に対向内側に略直角に折曲形成して断面略コ字板状に構成し、この略コ字板状の架設体４を前記各止着体３に重合状態で固定し得るように構成している。
【００３３】
また、この架設体４は、上下幅寸法を、前記各止着体３の上下の前記支持板部３Ｂ間の間隔幅寸法に略合致する幅寸法に設定構成して、この上下の支持板部３Ｂ間に架設体４を挟み込むようにして配設（嵌入）した際、上下の支持板部３Ｂによって架設体４が上下方向に位置決め状態となる構成としている。
【００３４】
更に詳しくは、金属製の帯板の長さ方向と直交する両側縁（長手方向の両側縁）を夫々略直角に折曲形成して断面コ字板状の架設体４を構成し、この架設体４の中間板部４Ａに対して直角に配設する両側の板部を、前記各止着体３の上下の前記支持板部３Ｂに近接若しくは重合当接する重合板部４Ｂとしている。
【００３５】
また、本実施例では、前記各止着体３の対向内側端部の支持板部３Ｂに固定孔７を設けると共に、前記架設体４の重合板部４Ｂの両端部に挿入孔８を設けている。
【００３６】
本実施例の各止着体３と架設体４との固定構造は、架設体４の中間板部４Ａを止着体３の固定板部３Ａに重合して支持板部３Ｂと重合板部４Ｂとを重合した際に、固定孔７と挿入孔８との位置を合わせて連通させ得るように構成し、この連通させた固定孔７と挿入孔８とに固定具６として採用したボルト６Ａ・ナット６Ｂのこのボルト６Ａを挿通してナット６Ｂ止めすることで、架設体４を各止着体３に固定すると共に、この固定具６（ボルト６Ａ）を支点にして各止着体３に対し、架設体４を水平方向に旋回自在に軸支する構造としている。即ち、各止着体３と架設体４とを固定具６により固定する構成でありながら、この架設体４の両端部と各止着体３の固定部分は、双方ともに軸支固定部５となる構成としている。
【００３７】
更に詳しくは、少なくとも前記固定孔８の孔径を、前記ボルト６Ａのボルト径よりもやや径大に形成すると共に、前記架設体４の両端部の各重合板部４Ｂの中間板部４Ａ側の縁部をＲ加工して湾曲縁11に加工することで、各止着体３に対し架設体４を水平旋回可能となるように構成している。
【００３８】
このように構成した本実施例においては、各止着体３と架設体４の両端部とを固定している固定具６のいずれか一方を取り外して例えば架設体４の図１における右側端部と右側に固定した止着体３とを固定解除すると、もう一方の固定具６、即ち図面左側の軸支固定部５を支点にして架設体４を水平旋回させることができる。従って、施工完了後は、架設体４が作業用穴部２を横に遮るように固定されているが、施工後であっても必要に応じて架設体４を水平旋回させて作業用穴部２を開放することができるので、この作業用穴部２を再度床下工事の際の通路や配管，配線路として使用することができる。
【００３９】
また、架設体４の両端部がどちらも軸支固定部５であるから、状況に応じて架設体４を旋回させ易いように軸支点を選択可能である。即ち、上記と逆の固定具６を軸支固定部５として架設体４を水平旋回させることもできる。尚、固定具６のいずれか一方だけが軸支点となる構成でも良い。
【００４０】
また、もちろん、双方の固定具６を固定解除して架設体４を完全に取り去ることも可能である。
【００４１】
また、本実施例では図示していないが、様々な左右幅の作業用穴部２に対応使用できるように、止着体３と架設体４との固定位置を左右横方向に変更し得る構成を採用しても良い。即ち、例えば、止着体３の長さ方向に沿って前記前記固定孔７を前記支持板部３Ｂに複数形成するか、若しくは架設体４の長さ方向に沿って前記挿入孔８を前記重合板部４Ｂに複数形成して、この複数の固定孔７若しくは複数の挿入孔８を選択して前記固定具６を挿通することにより、止着体３と架設体４との固定位置を左右横方向に変更し得るような構成を採用しても良い。
【００４２】
また、長さの異なる数種類の架設体４を用意することで、様々な左右幅の作業用穴部２に対応できるように構成しても良い。
【００４３】
尚、本発明は、本実施例に限られるものではなく、各構成要件の具体的構成は適宜設計し得るものである。
【図面の簡単な説明】
【００４４】
【図１】本実施例の使用状態を示す説明斜視図である。
【図２】本実施例の使用状態における、架設体の他側端部を他方の止着体から固定解除し、架設体を水平旋回させて作業用穴部を開放した状態を示す説明斜視図である。
【図３】本実施例を示す正面図である。
【図４】図３のＡ−Ａ線断面図である。
【図５】本実施例の使用状態における説明側断面図である。
【符号の説明】
【００４５】
１  コンクリート基礎
２  作業用穴部
３  止着体
３Ａ  固定板部
３Ｂ  支持板部
４  架設体
４Ａ  中間板部
４Ｂ  重合板部
５  軸支固定部
６  固定具
７  固定孔
８  挿入孔
【図１】
2009287347.tif 000003
【図２】
2009287347.tif 000004
【図３】
2009287347.tif 000005
【図４】
2009287347.tif 000006
【図５】
2009287347.tif 000007